(57)【要約】【課題】ディスプレイ表示とミラー表示とによる後方視野表示が可能な車両用表示装置において、その切り替えをユーザーが直感的に理解しやすい操作で行えるようにする。【解決手段】    ルームミラー本体２は、画面表示部４の画面４ａがハーフミラー３越しに視認されるように構成される。ルームミラー本体２を手でつかんでミラー面３ａ側を上下方向に回動させるユーザー操作により、ルームミラー本体２を、ミラー面３ａが運転者に車室内天井面を映し出す第一姿勢と、それとは異なる第二姿勢との間で姿勢変更することができ、第一姿勢と第二姿勢との切り替わりによって画面４ａの表示と非表示が切り替わる。【選択図】図４
2019104366.tif 000002
【特許請求の範囲】
【請求項１】
運転者の後方視野を撮影する撮影部と、
前記運転者の後方視野を当該運転者が視認可能となるようミラー面に映し出すハーフミラーと、前記ハーフミラーの背後に配置され、前記撮影部が撮影した後方視野映像を画面に表示する画面表示部と、を内側に有し、前記画面が前記ハーフミラーを介した透視形態にて前記運転者に視認可能とされたルームミラー本体と、
前記ルームミラー本体の前記ミラー面側を上下方向に回動可能に構成され、当該回動によって、前記ミラー面が前記運転者に車室内天井面を映し出す予め定められた第一姿勢と、前記第一姿勢とは異なる第二姿勢との間で前記ルームミラー本体の姿勢変更が可能とされた姿勢変更機構と、
前記ルームミラー本体が前記第一姿勢にあるときに前記画面に前記後方視野映像を表示し、前記第二姿勢にあるときに前記画面を非表示状態とする表示切替手段と、
を備え、前記ルームミラー本体を手でつかんで前記ミラー面側を上下方向に回動させるユーザー操作により前記ルームミラー本体を前記第一姿勢と前記第二姿勢との間で姿勢変更することで、前記画面を表示状態と非表示状態との間で切り替え可能とされていることを特徴とする車両用表示装置。
【請求項２】
前記姿勢変更機構は、
車両のフロントガラス又は天井部に固定される固定部から車室内側に突出してその先端側に球状部が設けられるアーム部と、
前記ルームミラー本体との間で前記球状部を挟み込む形で該ルームミラー本体に固定され、挟み込んだ前記球状部を摺動させる形で所定の回転中心周りを回転可能に支持する回転支持部と、
を有する請求項１に記載の車両用表示装置。
【請求項３】
前記表示切替手段は、
前記ルームミラー本体が前記第一姿勢にあるときと前記第二姿勢にあるときとを、前記球状部と前記回転支持部との相対回転に基づいて検出する検出手段と、
その検出結果に基づいて、前記画面を表示状態と非表示状態との間で切り替える切替制御手段と、
を有する請求項２に記載の車両用表示装置。
【請求項４】
前記球状部は、その表面に、前記回転中心を中心とする球面領域と、その球面領域に対し凹又は凸となる凹凸領域とが形成され、
前記検出手段は、操作ノブの突出位置と押込み位置との切り替わりを検出するスイッチであり、前記操作ノブは、前記ルームミラー本体が前記第一姿勢と前記第二姿勢の一方の姿勢のときに前記球面領域上に位置し、他方の姿勢のときに前記凹凸領域上に位置することにより、前記突出位置と前記押込み位置との間での切り替わりが発生し、
前記切替制御手段は、前記検出手段における前記操作ノブの切り替わり結果に基づいて、前記画面を前記表示状態と前記非表示状態との間で切り替える請求項３に記載の車両用表示装置。
【請求項５】
前記検出手段は、予め定められた検出波を送信する送信部と、その反射波を受信する受信部とを有し、その受信レベルを検出可能なセンサであり、
前記球状部は、その表面に、前記ルームミラー本体が前記第一姿勢と前記第二姿勢の一方の姿勢のときに前記検出波の送信方向に位置して該検出波を前記受信部に向けて高いレベルで反射する高反射領域と、他方の姿勢のときに前記検出波の送信方向に位置して該検出波を前記受信部に向けて前記高反射領域よりも低いレベルで反射する低反射領域と、を有し、
前記切替制御手段は、前記検出手段における前記受信レベルの検出結果に基づいて、前記画面を前記表示状態と前記非表示状態との間で切り替える請求項３に記載の車両用表示装置。
【発明の詳細な説明】
【技術分野】
【０００１】
本発明は、車両の後方を運転者に視認させる車両用表示装置に関する。
【背景技術】
【０００２】
車両の後方視野を表示する車両用表示装置として、車室内のフロントガラスの中央上側に設けられるルームミラー（バックミラー）がある。近年では、車両後方視野をカメラで撮影し、その撮影映像を、ルームミラーとして設けられたディスプレイに表示する表示装置がある（特許文献１参照）。
【０００３】
このような車両用表示装置では、ディスプレイ表示とミラー表示との双方が可能となるように、ハーフミラー越しにディスプレイを配置する場合がある。これにより、運転者は、後方視野を確認する際に、ディスプレイの表示映像で確認する方法と、ハーフミラーの反射像で確認する方法との双方から確認方法を選択できる。ただし、ディスプレイの表示とハーフミラーの反射像とが同時に視認されないように、ディスプレイ表示の際にはハーフミラーに車室内天井部が映し出されるような姿勢に変更して使用される。このため、通常は、ディスプレイ表示とミラー表示とを切り替えるための切替操作部がルームミラーに設けられる。
【０００４】
こうした切替操作部として、ルームミラー本体に操作レバー（レバー操作部）が設けられたものがある。この場合、操作レバーを操作することにより、ルームミラー本体の向きを、ハーフミラーのミラー面に車室内天井部が映し出される第一姿勢と後方視野が映し出される第二姿勢との間で切り替えることが可能となり、第一姿勢に切り替えられた際にはディスプレイに後方視野映像が表示され、第二姿勢に切り替えられた際にはディスプレイがＯＦＦされる。
【先行技術文献】
【特許文献】
【０００５】
【特許文献１】特開平０８−２０７６６１号公報
【発明の概要】
【発明が解決しようとする課題】
【０００６】
しかしながら、ルームミラー本体に操作レバーを設ける場合、操作レバー以外にも、操作レバーの操作を受けてミラー面の向きを変えるための機構等が必要となるため、部品点数の増加と構造の複雑化を避けられない。また、操作レバーを設ける場合、上記の第一姿勢と第二姿勢との間で往復動作する動作体をルームミラー本体に設ける必要があるが、そうした動作体を備えることでミラー面に振動が生じやすい機構となりやすい。
【０００７】
本発明の課題は、ディスプレイ表示とミラー表示とによる後方視野表示が可能な車両用表示装置において、ハーフミラーのミラー面に車室内天井部が映し出される第一姿勢と後方視野が映し出される第二姿勢との間で切り替える機能を設けるにあたって、部品点数の削減と構造の単純化を実現し、かつ振動に対し強い構造とすることにある。
【課題を解決するための手段及び発明の効果】
【０００８】
上記課題を解決するために、本発明の車両用表示装置は、
運転者の後方視野を撮影する撮影部と、
前記運転者の後方視野を当該運転者が視認可能となるようミラー面に映し出すハーフミラーと、前記ハーフミラーの背後に配置され、前記撮影部が撮影した後方視野映像を画面に表示する画面表示部と、を内側に有し、前記画面が前記ハーフミラーを介した透視形態にて前記運転者に視認可能とされたルームミラー本体と、
前記ルームミラー本体の前記ミラー面側を上下方向に回動可能に構成され、当該回動によって、前記ミラー面が前記運転者に車室内天井面を映し出す予め定められた第一姿勢と、前記第一姿勢とは異なる第二姿勢との間で前記ルームミラー本体の姿勢変更が可能とされた姿勢変更機構と、
前記ルームミラー本体が前記第一姿勢にあるときに前記画面に前記後方視野映像を表示し、前記第二姿勢にあるときに前記画面を非表示状態とする表示切替手段と、
を備え、前記ルームミラー本体を手でつかんで前記ミラー面側を上下方向に回動させるユーザー操作により前記ルームミラー本体を前記第一姿勢と前記第二姿勢との間で姿勢変更することで、前記画面を表示状態と非表示状態との間で切り替え可能とされていることを特徴とする。
【０００９】
上記本発明の構成によれば、ユーザーは、ミラー面及び画面が上方を向くよう自らの手でルームミラー本体全体を動かすことで、表示装置をＯＮ（画面表示状態）することができる。ミラー面に映るものが無くなるよう上方を向くように動かす操作と、表示装置のＯＮとでは双方の意図が関連しているため、ユーザーは直感的にその操作の後に生じる結果（表示装置のＯＮ）を理解しやすい。また、ミラー面の向きを上下方向に変える姿勢変更機構は、通常のルームミラーにおいてミラー面の向きを上下左右に変える回転支持機構（ピボット機構等）をそのまま利用することができるから、操作レバー等のような余計な操作部材・操作機構を追加する必要もなく、構造もシンプルなものとなる。また、操作レバーを排除できることで部品点数が減り、組付け作業を効率化できる利点を得られる。また、ルームミラー本体全体を動かすことで、表示装置をＯＮ／ＯＦＦするため、姿勢変更に応じて往復動作するような動作体をルームミラー本体に設ける必要が無いため、振動にも強い構造となる。
【００１０】
本発明における前記姿勢変更機構は、車両のフロントガラス又は天井部に固定される固定部から車室内側に突出してその先端側に球状部が設けられるアーム部と、前記ルームミラー本体との間で前記球状部を挟み込む形で該ルームミラー本体に固定され、挟み込んだ前記球状部を摺動させる形で所定の回転中心周りを回転可能に支持する回転支持部と、を有して構成できる。上記本発明の構成によれば、アーム部先端の球状部が、ルームミラー本体と回転支持部との間で摺動回転可能に支持される構成となり、ルームミラーのミラー面を上下左右に角度変更可能になる。そして、この球状部の固定は、ルームミラー本体と回転支持部とにより球状部を挟み込む形でなされ、この状態が保持されるよう回転支持部がルームミラー本体に対し直付け（直接固定）される。一方、操作レバーを設ける従来の構成の場合、上記本発明の構成に加えて、操作レバーと、その操作レバーの往復操作に連動して往復回動するようルームミラー本体に対し取り付けられる揺動体と、を備え、アーム部先端の球状部が揺動体と回転支持部との間で摺動回転可能に支持される構成となる。これにより、レバー操作で第一姿勢と第二姿勢とを切り替えることが可能となり、かつ第一姿勢と第二姿勢との双方の姿勢においてルームミラー本体の角度を変えてミラー面を上下左右に角度変更できる。ところが、この場合、ハーフミラー及び表示装置は、ルームミラー本体に対し揺動体を介して取り付けられる構造となるため、車両の走行振動等のような振動に比較的弱い。これに対し上記本発明の構成の場合、表示装置及びハーフミラーは、揺動体を介することなく、ルームミラー本体に対し直接固定されるから、振動に対しより強い構造となっている。
【００１１】
本発明における前記表示切替手段は、前記ルームミラー本体が前記第一姿勢にあるときと前記第二姿勢にあるときとを、前記球状部と前記回転支持部との相対回転に基づいて検出する検出手段と、その検出結果に基づいて、前記画面を前記表示状態と前記非表示状態との間で切り替える切替制御手段と、を有して構成できる。この構成によれば、本発明において必須となる球状部と回転支持部とを有した回転支持機構を利用して、表示装置のＯＮ／ＯＦＦ（画面の表示／非表示の切り替え）をすることができるから、ＯＮ／ＯＦＦのための無駄な機構を省略でき、構造をシンプルにすることができる。また、この構成においても、表示装置及びハーフミラーはルームミラー本体に対し直接固定されるから、振動に対し強い構造となる。
【００１２】
本発明における前記球状部は、その表面に、前記回転中心を中心とする球面領域と、その球面領域に対し凹又は凸となる凹凸領域とが形成され、前記検出手段は、操作ノブの突出位置と押込み位置との切り替わりを検出するスイッチであり、前記操作ノブは、前記ルームミラー本体が前記第一姿勢と前記第二姿勢の一方の姿勢のときに前記球面領域上に位置し、他方の姿勢のときに前記凹凸領域上に位置することにより、前記突出位置と前記押込み位置との間での切り替わりが発生し、前記切替制御手段は、前記検出手段における前記操作ノブの切り替わり結果に基づいて、前記画面を前記表示状態と前記非表示状態との間で切り替えるように構成できる。この構成によれば、球状部の表面に、回転を摺動支持させるための球面領域と、操作ノブを押し込むための凹凸領域とを設けるだけで、表示装置をＯＮ／ＯＦＦ（画面の表示／非表示の切り替え）するためのスイッチを容易に構成できる。
【００１３】
本発明における前記検出手段は、予め定められた検出波を送信する送信部と、その反射波を受信する受信部とを有し、その受信レベル（受信強度）を検出可能なセンサであり、前記球状部は、その表面に、前記ルームミラー本体が前記第一姿勢と前記第二姿勢の一方の姿勢のときに前記検出波の送信方向に位置して該検出波を前記受信部に向けて高いレベルで反射する高反射領域と、他方の姿勢のときに前記検出波の送信方向に位置して該検出波を前記受信部に向けて前記高反射領域よりも低いレベルで反射する低反射領域と、を有し、前記切替制御手段は、前記検出手段における前記受信レベルに基づいて、前記画面を前記表示状態と前記非表示状態との間で切り替えるように構成できる。この構成によれば、球状部に凹凸を作ることなく従来と形状を同じにしたまま、表示装置をＯＮ／ＯＦＦ（画面の表示／非表示の切り替え）するためのスイッチを構成できる。例えば、検出手段として光学センサを用い、高反射領域と低反射領域とを、反射率（光吸収率）が異なる色を付ける形で形成することができる。この場合、それらの領域で反射した光学センサの検出光（反射光）の受信レベル（受信強度）でもって、表示装置をＯＮ／ＯＦＦさせることができる。なお、高反射領域と低反射領域とを、受信部に向かう反射量が異なるよう反射方向に違いを持たせる形で形成してもよい。
【図面の簡単な説明】
【００１４】
【図１】本発明の一実施例である車両用表示装置の電気的構成と、カメラが撮影する後方視野とを簡略的に示した車両の平面図。
【図２】図１の車両用表示装置に使用するルームミラー本体の配置を示した図。
【図３】図１の車両用表示装置の電気的構成を簡略的に示したブロック図。
【図４】図１の車両用表示装置の第二姿勢を、左右幅方向中央でルームミラー本体を切断した断面により示した断面図。
【図５】図４の車両用表示装置の第一姿勢を、左右幅方向中央でルームミラー本体を切断した断面により示した断面図。
【図６】図１の変形例である車両用表示装置の第二姿勢を、左右幅方向中央でルームミラー本体を切断した断面により示した断面図。
【図７】図６の車両用表示装置の第一姿勢を、左右幅方向中央でルームミラー本体を切断した断面により示した断面図。
【発明を実施するための形態】
【００１５】
以下、本発明の実施形態について図面を用いて説明する。
【００１６】
本実施例の車両用表示装置１は、図１に示すように、車両１００の後方及び後側方（即ち、運転者の後方視野２００）を運転者が視認できるよう配置される車両装備である。ここでの車両用表示装置１は、図２に示すように、車室内においてフロントガラス１０１の中央上部に固定されている。なお、車両天井部の前方側等に固定される場合もある。ここでの車両用表示装置１は、図１に示すように、カメラ５と、画面表示部４とハーフミラー３とを有したルームミラー本体２（図２参照）と、切替入力部６（図３〜図５参照）と、制御部１０と、を有して構成される。
【００１７】
カメラ５は、車室内又は車外に配置され、車両１００の後方及び後側方（即ち、運転者の後方視野２００）を撮影する。例えば、カメラ５は、リアウィンドウ１０２の中央上側あるいは中央下側付近等に配置して車室内からリアウィンドウ１０２越しに撮影するように構成できる。なお、ここでのカメラ５には、車両１００の後方を広範囲にわたって撮像できるよう広角レンズを備えており、後方視野２００（撮影範囲）として水平方向に所定角度範囲の画角（視野角）を持つような広角カメラ（広角撮影部）を採用している。
【００１８】
画面表示部４は、図４及び図５に示すように、ハーフミラー３の背後に配置され、カメラ５が撮影した後方視野映像を画面４ａに表示する。ここでの画面表示部４は、光源（バックライト）により発せられた光により画像（表示画像）を画面４ａ（表示面）に表示するディスプレイ、例えば周知のカラー液晶ディスプレイ等として構成される。画面表示部４は、制御部１０と接続して表示装置を構成しており、ここでは制御部１０と共にルームミラー本体２の内部に搭載されている。
【００１９】
制御部１０は、ＣＰＵ、ＲＯＭ、ＲＡＭ等を有した周知の制御装置を構成している。制御部１０は、カメラ５から撮影映像（後方映像）を取得するとともに（映像取得手段）、その撮影映像上に表示領域（所定領域）を設定し（領域設定手段）、設定された表示領域内の映像（表示映像）を画面表示部４の画面４ａに表示する（表示手段）機能を果たす。なお、ここでの制御部１０は、広角撮影に伴い生じる撮影映像の歪を補正する歪補正処理、歪が大きくなる予め定められた領域を撮影映像から除外する領域除外処理、ミラー画像とするための画像反転処理、必要情報の付与（重畳表示）のための画像合成処理等を必要に応じて行い、必要な処理を受けた映像を画面４ａに表示する。
【００２０】
ハーフミラー３は、図４及び図５に示すように、その背後に画面４ａが位置するよう画面表示部４の正面側に配置される。ここでのハーフミラー３は、接着等により画面４ａに接着固定されている。ハーフミラー３は、車両１００の後方視野２００を光の反射による反射像として鏡面（以下、ミラー面という）上に映し出すものであり、運転者は、このハーフミラー３の反射像をミラー面３ａで視認することにより、車両後方及び車両後側方の領域を確認できる。
【００２１】
また、ハーフミラー３は、画面表示部４の画面４ａが非表示の時（少なくとも光源がＯＦＦのとき）には、運転者にはハーフミラー３の反射像が視認されるが、画面４ａが表示中のときには、画面４ａからの映像光が透過して、運転者には画面４ａの映像が視認される。ただし、制御部１０は、画面４ａの表示中にミラー面３ａへの映り込みが無くなるよう、ルームミラー本体２が予め定められた第一姿勢をとっているときに画面４ａへの映像表示を実行する。ここでの第一姿勢は、ミラー面３ａが運転者に向けて車室内天井面を映し出す予め定められた姿勢である（図５参照）。一方で、制御部１０は、ルームミラー本体２が第一姿勢とは異なる第二姿勢（図４参照）をとっているときには画面４ａへの映像表示を実行しない。制御部１０は、このような画面４ａの表示切替制御を、切替入力部６からの信号入力に基づいて実行する。
【００２２】
ルームミラー本体２は、図４及び図５に示すように、画面表示部４と、ハーフミラー３と、それらを内側に収容するルームミラーケース２０と、を有する。ハーフミラー３と画面表示部４とはルームミラー本体２に組み込まれている。
【００２３】
ルームミラーケース２０は、ハーフミラー３及び画面表示部４の外周側を被う外周被覆部２２と、画面表示部４の裏面側を被う裏側被覆部２１と、を一体に有したケース体に、開口２０Ｈを有する形で外周被覆部２２を正面側（前方側）から被うカバー部材２４を組み付けた形で構成され、外周被覆部２２の正面側（前方側）の開口２０Ｈから、その内側に配置されたハーフミラー３のミラー面３ａを露出させている。運転者は、開口２０Ｈを通してハーフミラー３のミラー面３ａを視認できるだけでなく、ハーフミラー３を介してその奥に位置する画面４ａを透視形態にて視認できる。
【００２４】
また、ここでのハーフミラー３と画面表示部４は、双方が一体化された後方表示部として設けられており、ルームミラー本体２に対し例えばネジ等の締結部材、あるいは互いの係合部の係合等によって固定される。ここでのルームミラー本体２は、ルームミラーケース２０（外周被覆部２２）の正面側にカバー部材２４が係合して一体に組み付けられており、ハーフミラー３と画面表示部４は、それらの間に挟まれる形でルームミラー本体２内部に配置されている。一方で、ルームミラーケース２０は、姿勢変更機構７と連結しており、ルームミラー本体２（例えば外周被覆部２２）を手でつかんでミラー面３ａ側を上下方向及び左右方向に回動（傾倒ともいえる）させるユーザー操作が可能に構成されている。このユーザー操作によって、ミラー面３ａと画面４ａは、ルームミラーケース２０と一体に動いてそれぞれの向きを上下左右に変更できる。
【００２５】
さらに、ルームミラー本体２は、このユーザー操作によって、ミラー面３ａが運転者に車室内天井面を映し出す予め定められた第一姿勢（図５参照）と、その第一姿勢とは異なる第二姿勢（図４参照）との間での姿勢変更を可能にしている。
【００２６】
ここでの第一姿勢は、図５に示すように、ルームミラー本体２の予め定められた基準姿勢（図４参照）に対しミラー面３ａ及び画面４ａが上下方向において所定角度又は所定角度以上上方を向いた姿勢として定められている。他方、第二姿勢は、図４に示すように、ミラー面３ａ及び画面４ａが上記所定角度よりも下方を向いた姿勢と定められている。ここでのルームミラー本体２は、後述する姿勢変更機構７によって、基準姿勢（図４参照）に対し一定角度範囲内において上下左右にミラー面３ａ及び画面４ａの向きを変えることができるが、上記所定角度以上上方を向いた姿勢（所定角度以上、上限角度以下の姿勢）を第一姿勢、それよりも下方を向いた姿勢（所定角度未満、下限角度以上の姿勢）を第二姿勢として定められている。
【００２７】
なお、第一姿勢及び第二姿勢は、ミラー面３ａ及び画面４ａの上下方向の向き（角度）によって定められる姿勢であり、左右方向への向きはどのような角度をとっていてもよい。
【００２８】
切替入力部６は、ルームミラー本体２が第一姿勢（図５参照）にあるときと第二姿勢（図４参照）にあるときとを、球状部７１Ｒと回転支持部７２との相対回転に基づいて検出する検出手段である。制御部１０は、切替入力部６の検出結果に基づいて、画面４ａを表示状態と非表示状態との間で切り替える切替制御手段であり、切替入力部６と共に表示切替手段として機能する。
【００２９】
姿勢変更機構７は、アーム部７１と、回転支持部７２と、を有する。図２に示すように、アーム部７１は、車両のフロントガラス１０１（天井部でもよい）に固定される固定部７０から車室内側に突出する突出部である。図４及び図５に示すように、アーム部７１の先端側には球状部７１Ｒが設けられ、回転支持部７２は、その球状部７１Ｒをルームミラー本体２（ルームミラーケース２０の当接支持部２３）との間で挟み込んだ状態で該ルームミラー本体２に固定され、挟み込んだ球状部７１Ｒが回転中心Ｒ０周りを摺動回転可能となるように支持する。これにより、一定角度範囲内においてミラー面３ａ及び画面４ａの向きを上下左右に変えることが可能になる。
【００３０】
以下、本実施例の姿勢変更機構７と切替入力部６とについて、具体的に説明する。
【００３１】
図４及び図５に示すように、回転支持部７２は、支持部本体７２０と、板バネ部材７２１と、を有する。
【００３２】
支持部本体７２０は、球状部７１Ｒを摺動回転可能に支持する摺動支持部７２０Ｒと、切替入力部６を収容する収容部７２０Ｓと、板バネ部材７２１の一端を固定する板バネ固定部７２０Ａと、を有する。支持部本体７２０は、締結部材７３１、７３２（ここではネジ部材）によって、ルームミラーケース２０（ルームミラー本体２）に対し直接固定されている。
【００３３】
球状部７１Ｒは、その表面に回転中心Ｒ０を中心とする球面領域７１Ｒａを有し、他方、摺動支持部７２０Ｒは、球状部７１Ｒを取り囲む形状をなし、その内側の表面（内壁面）には、球状部７１Ｒを前後（図４の左右方向）で挟む形で球状部７１Ｒの球面領域７１Ｒａと接触する摺動領域７２０Ｒａを有する。ここでの摺動領域７２０Ｒａは、球状部７１Ｒの主面をなす球面領域７１Ｒａと対応する凹球面領域（例えば球面領域７１Ｒａの径と同じ又はそれよりも大きい凹球面形状）をなしている。なお、図４及び図５において、摺動領域をなす凹球面領域７２０Ｒａは球状部７１Ｒの上側にのみ図示されているが、下側及び左右側にも形成されている。下側に図示が無いのは、球状部７１Ｒの中心部直下位置に前後に延びる切り欠き７２０Ｒｈが形成されているためである。
【００３４】
板バネ部材７２１は、摺動支持部７２０Ｒの凹球面領域７２０Ｒａと、球状部７１Ｒの球面領域７１Ｒａとが常時接触した状態となるように、支持部本体７２０と連結しつつルームミラーケース２０に対し直接固定される。ここでの板バネ部材７２１は、摺動支持部７２０Ｒを常時後方に押圧した状態に保持されている。
【００３５】
具体的にいえば、板バネ部材７２１の第一側端部７２１Ａが支持部本体７２０の板バネ固定部７２０Ａに対し前方側に当接するように引っ掛かる形で掛け止めされ、球状部７１Ｒとの接触領域（球面領域７１Ｒａ）を挟んだ逆側の第二側端部７２１Ｂが締結部材７３３によってルームミラーケース２０（裏側被覆部２１）に対し締結固定される。このとき、板バネ部材７２１は、自身の弾性により摺動支持部７２０Ｒを球状部７１Ｒと共に後方に押し付けており、ルームミラーケース２０は、押し付けられた摺動支持部７２０Ｒをその後方側に位置する当接支持部２３に当接させた状態で支持する。当接支持部２３に押し付けられた摺動支持部７２０Ｒは、少なくとも球状部７１Ｒとの接触領域（球面領域７１Ｒａ）の前後側で球状部７１Ｒを挟む形状（実際には球状部７１Ｒを包み込むような形状）をなしており、これにより、摺動支持部７２０Ｒの凹球面領域７２０Ｒａが、球状部７１Ｒの球面領域７１Ｒａに対し常時接触（摺動）した状態に保持される。
【００３６】
一方で、球状部７１Ｒは、その表面に回転中心Ｒ０を中心とする球面領域７１Ｒａに対し凸となる凸領域７１Ｒｂ（本発明における凹凸領域）を有する。切替入力部６は、操作ノブ６Ｐが突出位置と押込み位置との間での切り替わるスイッチ（ここではタクトスイッチ）であり、操作ノブ６Ｐは、ルームミラー本体２が第一姿勢と第二姿勢の一方の姿勢のとき（ここでは第一姿勢のとき：図５参照）に凸領域７１Ｒｂ上に位置し、他方の姿勢のとき（ここでは第二姿勢のとき：図４参照）に球面領域７１Ｒａ上に位置することにより、突出位置と押込み位置との間での切り替わりが発生する。切替入力部６は、その切り替わりを示す信号を制御部１０に入力し、制御部１０は、この信号入力に基づいて、画面４ａを表示状態と非表示状態との間で切り替える。
【００３７】
具体的にいえば、切替入力部６の操作ノブ６Ｐ上には、その押し込み方向において往復動作可能にガイドされた押付動作部６０が配置されている。ここでの押付動作部６０は、切替入力部６と共に収容部７２０Ｓ内に収容されており、その内壁面によって上記押し込み方向の往復動作がガイドされている。また、押付動作部６０は、操作ノブ６Ｐとの当接面とは逆側において、摺動支持部７２０Ｒと当接支持部２３の切り欠き７２０Ｒｈが形成する切り欠き空間内を通過する形で球状部７１Ｒとも当接している。その当接面６０ａは、摺動支持部７２０Ｒの凹球面領域７２０Ｒａと同様、球状部７１Ｒの球面領域７１Ｒａと対応する凹球面形状をなしており、回転中心Ｒ０を中心に回転する球状部７１Ｒをその面６０ａ上で摺動可能としている。
【００３８】
押付動作部６０は、ルームミラー本体２が第二姿勢にあって当接面６０ａが球状部７１Ｒの球面領域７１Ｒａと接触しているときには、操作ノブ６Ｐが突出位置に保持されるが（図４参照）、ルームミラー本体２が第一姿勢になって球状部７１Ｒの凸領域７１Ｒｂと接触したときには、操作ノブ６Ｐを押込み位置に押し込む（図５参照）。これにより、押付動作部６０の入力が切り替わる。そして制御部１０は、ルームミラー本体２が第二姿勢にあって操作ノブ６Ｐが突出位置にあるときに（図４参照）、画面４ａを非表示状態とし、ルームミラー本体２が第一姿勢にあって操作ノブ６Ｐが押込み位置にあるときに、画面４ａを表示状態とする（図５参照）。
【００３９】
このように構成された車両用表示装置１は、ルームミラー本体２を手でつかんでそのミラー面３ａ側を上下方向に回動させるユーザー操作が可能となる。そして、このユーザー操作によりルームミラー本体２を第一姿勢と第二姿勢との間で姿勢変更することで、画面４ａを表示状態と非表示状態とを切り替えることができる。つまり、ルームミラー本体２を第一姿勢と第二姿勢との間で姿勢変更するための操作部は存在しておらず、ルームミラー本体２全体をユーザーがつかんで向きを変えることで、画面４ａの表示状態と非表示状態とが切り替わる。
【００４０】
以上、本発明の一実施形態を説明したが、これはあくまでも例示にすぎず、本発明はこれに限定されるものではない。例えば上記実施形態において一部の構成要件を省略する、さらには他の構成要件を追加する等、当業者の知識に基づく種々の変更が可能である。
【００４１】
上記実施例における切替入力部は、球状部７１Ｒの凹凸によって押し込まれて入力が切り替わるタクトスイッチ６であったが、他の構成を採用してもよい。例えば図６及び図７に示すように、切替入力部は、予め定められた検出波を送信する送信部と、その反射波を受信する受信部とを有し、その受信レベル（受信強度）を検出可能なセンサ９とすることができる。
【００４２】
図６及び図７に示す切替入力部９は、検出波として赤外光を用いた赤外線センサであり、赤外光の送信部兼受信部である。球状部７１Ｒは、その表面全体が回転中心Ｒ０を中心とする球面領域として形成されるが、その表面には、ルームミラー本体２が第一姿勢と第二姿勢の一方の姿勢（ここでは第二姿勢：図６参照）のときに上記検出波の送信方向に位置して該検出波を切替入力部９（受信部）に向けて高いレベルで反射する高反射領域７１Ｒｃ（図中の太線領域）と、他方の姿勢（ここでは第一姿勢：図７参照）のときに上記検出波の送信方向に位置して該検出波を前記受信部に向けて高反射領域７１Ｒｃよりも低いレベルで反射する低反射領域７１Ｒｄと、を有する。そして制御部１０は、切替入力部９において検出される上記検出波の反射波の受信レベルに基づいて、画面４ａを表示状態と非表示状態との間で切り替える。図６及び図７においては、摺動支持部７２０Ｒの貫通孔７２０Ｒｋが形成する貫通空間内を通過する形で、切替入力部６から送信された検出波が球状部７１Ｒの表面に到達するとともに、その反射波が切替入力部９へと戻って検出されるように構成されている。図中の破線内領域９Ｘは、切替入力部９に到達する検出波の通過領域である。
【符号の説明】
【００４３】
１  車両用表示装置
１０  制御部
１００  車両
２  ルームミラー本体
２０  ルームミラーケース
２３  当接支持部
３  ハーフミラー
３ａ  ミラー面
４  画面表示部
４ａ  画面
５  カメラ
６、９  切替入力部（検出手段）
６Ｐ  操作ノブ
６０  押付動作部
７  姿勢変更機構
７１  アーム部
７１Ｒ  球状部
７１Ｒａ  球面領域
７１Ｒｂ  凸領域（凹凸領域）
７１Ｒｃ  高反射領域
７１Ｒｄ  低反射領域
７２  回転支持部
７２０  支持部本体
７２０Ｒ  摺動支持部
７２０Ｒａ  凹球面領域
７２０Ｓ  収容部
７２０Ａ  板バネ固定部
７２１  板バネ部材
【図１】
2019104366.tif 000003
【図２】
2019104366.tif 000004
【図３】
2019104366.tif 000005
【図４】
2019104366.tif 000006
【図５】
2019104366.tif 000007
【図６】
2019104366.tif 000008
【図７】
2019104366.tif 000009